(57)【要約】本発明は、多重アンテナ間の相関度に応じて前記多重アンテナにビットマッピングされたシンボルを割り当てる段階から構成された多重アンテナを利用した移動  通信システムにおける信号送信方法を提供する。前記ビットマッピングされたシンボルの割り当ては、相互相関度の高いアンテナから送信されたビットマッピングされたシンボルを割り当てることで相互相関度の低いアンテナから再送信させ、相互相関度の低いアンテナから送信されたビットマッピングされたシンボルを割り当てることで相関度の高いアンテナから再送信させる。他の実施形態で、前記ビットマッピングされたシンボルの割り当ては、前記多重アンテナ間の相関度と共に各シンボルの検出効率によって多重アンテナに前記ビットマッピングされたシンボルを割り当てる。
2006524930.tif 000002
【特許請求の範囲】
【請求項１】
多重アンテナ間の相関度に応じて前記多重アンテナにビットマッピングされたシンボルを割り当てる段階から構成されることを特徴とする多重アンテナを利用した信号送信方法。
【請求項２】
前記ビットマッピングされたシンボルの割り当ては、前記ビットマッピングされたシンボルを再送信するときに発生することを特徴とする請求項１に記載の多重アンテナを利用した信号送信方法。
【請求項３】
前記ビットマッピングされたシンボルの割り当ては、
相互相関度の高いアンテナから送信されたビットマッピングされたシンボルを割り当てることで相互相関度の低いアンテナから再送信させ、相互相関度の低いアンテナから送信されたビットマッピングされたシンボルを割り当てることで相互相関度の高いアンテナから再送信させることを特徴とする請求項１に記載の多重アンテナを利用した信号送信方法。
【請求項４】
前記多重アンテナは、４つのアンテナのアレイを含み、
最初に内側の２つのアンテナから送信されたシンボルは外側の２つのアンテナから再送信され、最初に外側の２つのアンテナから送信されたシンボルは内側の２つのアンテナから再送信されることを特徴とする請求項１に記載の多重アンテナを利用した信号送信方法。
【請求項５】
前記ビットマッピングされたシンボルを割り当てる前に前記ビットマッピングされたシンボルのビットのビット信頼度によって前記ビットマッピングされたシンボルをマッピングする段階をさらに含むことを特徴とする請求項１に記載の多重アンテナを利用した信号送信方法。
【請求項６】
前記ビットマッピングされたシンボルの割り当ては、
コンステレーションにおいて最も遠く離れているシンボル対を相互相関度の高いアンテナ対に割り当て、前記コンステレーションにおいて最も近いシンボル対を相互相関度の低いアンテナ対に割り当てることを特徴とする請求項１に記載の多重アンテナを利用した信号送信方法。
【請求項７】
前記ビットマッピングされたシンボルの割り当ては、
コンステレーションにおける残りのシンボルを全ての多重アンテナに均一に割り当てることを特徴とする請求項６に記載の多重アンテナを利用した信号送信方法。
【請求項８】
前記ビットマッピングされたシンボルの割り当ては、
前記多重アンテナ間の相関度と共に各シンボルの検出効率によって前記多重アンテナに前記ビットマッピングされたシンボルを割り当てることを特徴とする請求項１に記載の多重アンテナを利用した信号送信方法。
【請求項９】
前記ビットマッピングされたシンボルの割り当ては、
検出効率の高いビットマッピングされたシンボルを相互相関度の高いアンテナに割り当て、検出効率の低いビットマッピングされたシンボルを相互相関度の低いアンテナに割り当てることを特徴とする請求項８に記載の多重アンテナを利用した信号送信方法。
【請求項１０】
多重アンテナ間の相関度に応じて前記多重アンテナにビットマッピングされたシンボルを割り当てる処理器を含むことを特徴とする多重アンテナを利用した信号送信装置。
【請求項１１】
前記処理器は、ビットマッピングされたシンボルの再送信時、前記ビットマッピングされたシンボルを割り当てることを特徴とする請求項１０に記載の多重アンテナを利用した信号送信装置。
【請求項１２】
前記処理器は、相互相関度の高いアンテナから送信されたビットマッピングされたシンボルを割り当てることで相互相関度の低いアンテナから再送信させ、相互相関度の低いアンテナから送信されたビットマッピングされたシンボルを割り当てことで相互相関度の高いアンテナから再送信させることを特徴とする請求項１０に記載の多重アンテナを利用した信号送信装置。
【請求項１３】
前記多重アンテナは、４つのアンテナのアレイを含み、
最初に内側の２つのアンテナから送信されたシンボルは外側の２つのアンテナから再送信され、最初に外側の２つのアンテナから送信されたシンボルは内側の２つのアンテナから再送信されることを特徴とする請求項１０に記載の多重アンテナを利用した信号送信装置。
【請求項１４】
前記処理器が前記ビットマッピングされたシンボルを割り当てる前に前記ビットマッピングされたシンボルのビットのビット信頼度によって前記ビットマッピングされたシンボルをマッピングするビットマッピング部をさらに含むことを特徴とする請求項１０に記載の多重アンテナを利用した信号送信装置。
【請求項１５】
前記処理器は、コンステレーションにおいて最も遠く離れているシンボル対を相互相関度の高いアンテナ対に割り当て、前記コンステレーションにおいて最も近いシンボル対を相互相関度の低いアンテナ対に割り当てることを特徴とする請求項１０に記載の多重アンテナを利用した信号送信装置。
【請求項１６】
前記処理器は、コンステレーションにおける残りのシンボルを全ての多重アンテナに均一に割り当てることを特徴とする請求項１５に記載の多重アンテナを利用した信号送信装置。
【請求項１７】
前記処理器は、前記多重アンテナ間の相関度と共に各シンボルの検出効率によって前記多重アンテナに前記ビットマッピングされたシンボルを割り当てることを特徴とする請求項１０に記載の多重アンテナを利用した信号送信装置。
【請求項１８】
前記処理器は、検出効率の高いビットマッピングされたシンボルを相互相関度の高いアンテナに割り当て、検出効率の低いビットマッピングされたシンボルを相互相関度の低いアンテナに割り当てることを特徴とする請求項１７に記載の多重アンテナを利用した信号送信装置。
【発明の詳細な説明】
【技術分野】
【０００１】
本発明は、多重アンテナを利用した移動通信システムにおける信号送信方法及び装置に関する。
【背景技術】
【０００２】
現在無線環境で使用する大部分のコード変調（Ｃｏｄｅｄ  Ｍｏｄｕｌａｔｉｏｎ）システムでは、８ＰＳＫ（Ｐｈａｓｅ  Ｓｈｉｆｔ  Ｋｅｙｉｎｇ）又は１６ＱＡＭ（Ｑｕａｄｒａｔｕｒｅ  Ａｍｐｌｉｔｕｄｅ  Ｍｏｄｕｌａｔｉｏｎ）のデータ（シンボル）に対してグレイマッピング（Ｇｒａｙ  Ｍａｐｐｉｎｇ）を行う。例えば、図１は、１６ＱＡＭのためのグレイマッピングを用いたコンステレーション（Ｃｏｎｓｔｅｌｌａｔｉｏｎ）である。
【０００３】
図１に示すように、グレイマッピングを用いるとき、１６ＱＡＭの１シンボルを構成するためには４つのビットが必要である。ＨＡＲＱ（Ｈｙｂｒｉｄ  Ａｕｔｏｍａｔｉｃ  Ｒｅｐｅａｔ  Ｒｅｑｕｅｓｔ）機能を用いる高速ダウンリンクパケットアクセス（Ｈｉｇｈ  Ｓｐｅｅｄ  Ｄｏｗｎｌｉｎｋ  Ｐａｃｋｅｔ  Ａｃｃｅｓｓ：  ＨＳＤＰＡ）システムでは、アンテナで送信されたデータを受信側が受信する。再送信が要求される場合は、最初に送信されたデータ（シンボル）のビット順序を変更してデータを再送信する。このような動作をコンステレーション再配置という。
【０００４】
従来の信号送信方法は、１つの送受信アンテナを有する通信システムにはそのまま適用できる。しかしながら、現在は複数の送信アンテナ及び受信アンテナを使用する多重入出力（Ｍｕｌｔｉｐｌｅ  ｉｎｐｕｔ  ｍｕｌｔｉｐｌｅ  ｏｕｔｐｕｔ：  ＭＩＭＯ）通信システムが存在し、このようなシステムでは、各送信アンテナから送信されたシンボルの独立性が維持できないと、前記送信されたシンボルが適切に検出できない。しかしながら、チャネルの独立性を常に維持することはできないので、シンボルを適切に検出することは難しい。
【発明の開示】
【発明が解決しようとする課題】
【０００５】
本発明の目的は、少なくとも前記問題点及び短所を補完して、少なくとも後述される利点を提供することにある。
【０００６】
本発明の他の目的は、シンボル検出能力を向上できる新しい信号送信方法及び装置を提供することにある。
【課題を解決するための手段】
【０００７】
このような目的を達成するために本発明に係る多重アンテナを利用した移動通信システムにおける新しい信号送信方法は、前記多重アンテナ間の相関度に応じてビットマッピングされたシンボルを前記多重アンテナに割り当てる段階から構成される。前記ビットマッピングされたシンボルの割り当ては、相互相関度の高いアンテナから送信されたビットマッピングされたシンボルを割り当てることで相互相関度の低いアンテナから再送信させ、相互相関度の低いアンテナから送信されたビットマッピングされたシンボルを割り当てることで相互相関度の高いアンテナから再送信させる。また、他の実施形態によると、前記ビットマッピングされたシンボルの割り当ては、前記多重アンテナ間の相関度と共に各シンボルの検出効率によって前記多重アンテナに前記ビットマッピングされたシンボルを割り当てる。
【０００８】
本発明の追加的な長所、目的及び特性は後述する発明の詳細な説明に一部が記述されており、一部は以下に明示された説明を参照すると当該技術分野における通常の知識を有する者であれば明確になり、又は、本発明の適用により理解される。本発明の目的と長所は、特に添付された請求項に指摘した通り実現及び達成される。
【発明の効果】
【０００９】
本発明の第１実施形態に係るシンボル配置方法によると、アンテナ間の相関度に応じてシンボルをビットマッピングするとき、アンテナ間の相関度を考慮しない場合に比べて、受信側のシンボル検出性能が向上するという効果がある。
【００１０】
また、他の実施形態によると、シンボルの検出効率とコンステレーションにおけるアンテナ間の相関度に応じて、送信されるシンボルをアンテナに割り当てるので、独立的シンボル送信を提供できる。従って、アンテナ間の独立性が向上し、受信側のシンボル検出の正確度及びシステムにおける信号送信能力が向上するという効果がある。    
【００１１】
また、シンボル検出効率及び／又はＨＡＲＱを用いたシステムで、アンテナ間の相関度に応じてシンボルを再送信するので、通信の質が向上する。
【発明を実施するための最良の形態】
【００１２】
１６ＱＡＭ方式で４つのビットの順序をそれぞれｉ１、ｑ１、ｉ２、ｑ２とする場合、各ビットに割り当てられる値によってビットの信頼度が変化する。すなわち、位置の面で、ｉ１及びｑ１は、ビット値と関係なくｉ２及びｑ２よりビット信頼度が高く、ｉ２及びｑ２は、ｉ１及びｑ１よりビット信頼度が低い。例えば、図１の１６ＱＡＭ方式のコンステレーションを参照すると、ｉ１とｑ１のビット信頼度は、ｉ２とｑ２のビット信頼度より高い。すなわち、最初の２ビットが各象限（ｑｕａｄｒａｎｔ）Ｉ、ＩＩ、ＩＩＩ及びＩＶにおいて同一であるので、４つの象限のうち１つにマッピングされたシンボルの最初の２ビットが正確である可能性がより高い。例えば、データポイント「ｘ」が図１に示すように第１象限から検出され、前記検出されたデータポイントのビット値を決定するとき（すなわち、ビット値が００１１、０００１、００００、００１０のどれか）、第１象限で各データポイントの最初の２ビット値が「００」であることが分かる。同様のケースがビット値ｉ２とｑ２では得られない。このように、この１６ＱＡＭ方式のコンステレーションで、ｉ１とｑ１のビット信頼度はｉ２とｑ２のビット信頼度より高い。
【００１３】
前述したように、再送信が要求される場合、最初に送信されたデータのビット順序が変更されてデータが再送信される。ＨＡＲＱ機能を用いて前記データの再送信を要求できる。
【００１４】
図２、図３、図４、図５は、コンステレーションにおける第１送信、第２再送信、第３再送信、第４再送信時のビットマッピング順序の例を示す。前述したように、図２で、ｉ１（ｑ１）のビット信頼度がｉ２（ｑ２）より高い（図２は、図１と同様のコンステレーション）。例えば、ＮＡＣＫ信号のようなＨＡＲＱが受信されたと仮定すると、前記１６ＱＡＭ方式のコンステレーションは、図３に示す１６ＱＡＭコンステレーションに変わる。図３では、ｉ２（ｑ２）のビット信頼度がｉ１（ｑ１）より高い。すなわち、図示されたように、ｉ１（ｑ１）は再送信時に最初の送信に対してスイッチマッピングされている。
【００１５】
次に、図４は、２番目の再送信時の１６ＱＡＭ方式のコンステレーションを示し、ここで、ｉ１（ｑ１）のビット確立はｉ２（ｑ２）のビット確立より信頼でき、第１送信のｉ２（ｑ２）の逆マッピング（ｉｎｖｅｒｔ  ｍａｐｐｉｎｇ）されている。すなわち、データポイント００１１はデータポイント００００にスイッチされ、データポイント０００１はデータポイント００１０にスイッチされる（第１象限を参照）。他の象限のデータポイントも類似した方式で反転される。また、図５は、３番目の再送信時の１６ＱＡＭ方式のコンステレーションを示し、ここで、ｉ２（ｑ２）のビット確率がｉ１（ｑ１）のビット確率より信頼でき、最初の送信のｉ２（ｑ２）の逆マッピングされている。
【００１６】
上述したように、１６ＱＡＭコンステレーションのスイッチマッピングは、単一  送信機を含む通信システムに適用される。しかしながら、ＭＩＭＯシステムでは、多重送信アンテナ間の相関性のため、スイッチマッピング方式を用いて適したデータを検出することはできない。例えば、４つのアンテナがある場合、アンテナアレイの外側に位置するアンテナがアンテナアレイの内側に位置するアンテナより独立性が保障される（すなわち、外側のアンテナ間の相関度がより低い）。
【００１７】
図６は、本発明に係る多重アンテナを利用した移動通信システムにおける信号送信装置を示す図である。図６に示すように、本発明の実施形態に係る移動通信システムの信号送信装置は、送信システムにおいてビットマッピングを行う第１ビットマッピング部２０と、多数の送信アンテナ２６Ａ〜２６Ｄと、前記送信アンテナ２６Ａ〜２６Ｄの相互相関度に応じて前記ビットマッピングされたシンボルを配置する送信ＨＡＲＱ処理器２２と、前記送信ＨＡＲＱ処理器２２で処理されたシンボルを逆多重化して各送信アンテナ２６Ａ〜２６Ｄに割り当てる逆多重化器２４と、複数の受信アンテナ２８Ａ〜２８Ｆと、各受信アンテナ２８Ａ〜２８Ｆで受信された信号のエラーチェック及び再送信動作を行う受信ＨＡＲＱ処理器３０と、前記受信ＨＡＲＱ処理器３０から出力された信号を処理して送信シンボルを推定／検出するシンボル検出器３２と、前記シンボル検出器３２で検出されたシンボルを逆マッピングする第２ビットマッピング部３４と、第２ビットマッピング部３４で逆マッピングされたシンボルを多重化して前記送信された順に前記シンボルを配置する多重化器３６とから構成される。
【００１８】
前記送信ＨＡＲＱ処理器２２及び受信ＨＡＲＱ処理器３０は、シンボル配置（又は再配置）以外にＨＡＲＱ機能を含み、前記シンボル検出器３２は、ゼロフォーシング（Ｚｅｒｏ−Ｆｏｒｃｉｎｇ）、  ＭＭＳＥ（Ｍｉｎｉｍｕｍ  Ｍｅａｎ  Ｓｑｕａｒｅ  Ｅｒｒｏｒ）、Ｖ（Ｖｅｒｔｉｃａｌ）−ＢＬＡＳＴ（Ｂｅｌｌ  Ｌａｂｏｒａｔｏｒｉｅｓ  Ｌａｙｅｒｅｄ  Ｓｐａｃｅ−Ｔｉｍｅ）のうち１つを用いて受信信号を処理してシンボルを検出する。より詳しくは、ＭＩＭＯ無線通信システムでは、マルチパスチャネルの空間的特性を利用して、良いマルチパス環境におけるユーザー容量を増加させるためにマルチエレメントアンテナアレイを利用する。このようなシステムのうち１つが、Ｄ（ｄｉａｇｏｎａｌｌｙ）−ＢＬＡＳＴシステムの斜め層状の時空間構造とはことなり、垂直層状の時空間構造を利用するＶ−ＢＬＡＳＴである。前記Ｖ−ＢＬＡＳＴシステムは、Ｐ．Ｗ．  Ｗｏｌｎｉａｎｓｋｙ、Ｇ．Ｊ．  Ｆｏｓｃｈｉｎｉ、Ｇ．Ｄ．  Ｇｏｌｄｅｎ、及びＲ．Ａ．  Ｖａｌｅｎｚｕｅｌａによる『Ｖ−ＢＬＡＳＴ：  Ａｎ  Ａｒｃｈｉｔｅｃｔｕｒｅ  ｆｏｒ  Ｒｅａｌｉｚｉｎｇ  Ｖｅｒｙ  Ｈｉｇｈ  Ｄａｔａ  Ｒａｔｅｓ  Ｏｖｅｒ  ｔｈｅ  Ｒｉｃｈ−Ｓｃａｔｔｅｒｉｎｇ  Ｗｉｒｅｌｅｓｓ  Ｃｈａｎｎｅｌ』（ＩＳＳＳＥ’９８、１９９８年、１０月）、及び同一人による『Ｄｅｔｅｃｔｉｏｎ  ａｌｇｏｒｉｔｈｍ  ａｎｄ  ｉｎｉｔｉａｌ  ｌａｂｏｒａｔｏｒｙ  ｒｅｓｕｌｔｓ  ｕｓｉｎｇ  Ｖ−ＢＬＡＳＴ  ｓｐａｃｅ−ｔｉｍｅ  ｃｏｍｍｕｎｉｃａｔｉｏｎ  ａｒｃｈｉｔｅｃｔｕｒｅ』（ＩＥＥＥ、Ｖｏｌ．３５、Ｎｏ．１、１９９９年、１月）  に説明されている。前記両著書は相互に参照できる。
【００１９】
以下、図７を参照して本発明に係る信号送信装置の動作について説明する。
【００２０】
まず、送信されるシンボルが入力されると（Ｓ１０１）、第１ビットマッピング部２０は、前記入力シンボルにビットマッピングを行う（Ｓ１０３）。その後、送信ＨＡＲＱ処理器２０は、前記第１ビットマッピング部２０でビットマッピングされたシンボルをエラー制御に使用されるＣＲＣ（Ｃｙｃｌｉｃ  Ｒｅｄｕｎｄａｎｃｅ  Ｃｈｅｃｋ）コードあるいはＲＥＣ（Ｆｏｒｗａｒｄ  Ｅｒｒｏｒ  Ｃｏｒｒｅｃｔｉｏｎ）コードと結合し、送信アンテナ２６Ａ〜２６Ｄ間の相関度に応じて送信シンボルを配列する（Ｓ１０５）。前記段階（Ｓ１０５）で、送信シンボルはシンボルの検出効率によって配列される。このような追加的特性は後述する。
【００２１】
段階（Ｓ１０７）で、逆多重化器２４は、前記送信ＨＡＲＱ処理器２２により配列された前記送信シンボルを各送信アンテナ２６Ａ〜２６Ｄに割り当てる。前記送信アンテナ２６Ａ〜２６Ｄは、該当シンボルをＭＩＭＯチャネルで受信端に送信する（Ｓ１０９）。
【００２２】
受信ＨＡＲＱ処理器３０は、各受信アンテナ２８Ａ〜２８Ｆで受信されたシンボルにエラーがあるか否かを確認する。前記受信されたシンボルが良好な状態で受信されないと（すなわち、エラーを含んでいると）、前記受信ＨＡＲＱ処理器３０は、シンボルの再送信を要求する（段階Ｓ１１１のＹＥＳ）。そうすると、前記送信ＨＡＲＱ処理器２２が前記送信アンテナ間の相関度に応じてシンボルを再配置し（Ｓ１１３）、逆多重化器２４を通じて各送信アンテナ２６Ａ〜２６Ｄに前記再配置されたシンボルを割り当てることにより、再送信が行われる（Ｓ１１５）。
【００２３】
例えば、前記外側のアンテナ２６Ａ、２６Ｄで送信されたシンボルは、前記内側のアンテナ２６Ｂ、２６Ｃで再送信され、前記内側のアンテナ２６Ｂ、２６Ｃで送信されたシンボルは前記外側のアンテナ２６Ａ、２６Ｄで再送信される。
【００２４】
また、前記アンテナは、所定数のアンテナが提供でき（例えば、６つのアンテナ）、シンボルの再順序付けはアンテナ間の相関度に応じて決定される。例えば、アンテナ３と５は高い相関度を有し、アンテナ１と６は低い相関度を有する場合、最初にアンテナ３と５から送信されたシンボルはアンテナ１と６で再送信される。最初にアンテナ２と４から送信されたシンボルは同一のアンテナから再送信される。アンテナの数によって、アンテナ間の相関度に基づいた他の割り当て方法が用いられる。
【００２５】
しかしながら、前記受信シンボルが良好な状態で受信されると（段階Ｓ１１１のＮＯ）、受信ＨＡＲＱ処理器３０は、シンボル検出器３２に前記受信信号を転送する。前記シンボル検出器３２は、例えば、ゼロフォーシング、ＭＭＳＥ及びＶ−ＢＬＡＳＴのような方法によって前記転送された信号を処理して送信シンボルを推定／検出する。
【００２６】
次に、第２ビットマッピング部３４は、前記検出されたシンボルを逆にマッピングし、多重化器３６は、前記逆にマッピングされたシンボルを多重化して前記送信された順に配置する。ここで、前記受信端は、送信端で用いたモジュール方法（例えば、ＱＰＳＫ又はＱＡＭ）を予め知っているため、前記シンボル検出器３２によるシンボル検出と前記第２ビットマッピング部３４によるビットの逆マッピングが可能である。
【００２７】
このように、送信ＨＡＲＱ処理器２２は、送信シンボルを送信及び再送信するとき、送信アンテナ２６Ａ〜２６Ｄ間の相関度を考慮して各シンボルを各アンテナに割り当て、受信ＨＡＲＱ処理器３０は、送信（又は再送信）されたシンボルを以前に送信されたシンボルと結合することにより、受信効率及びシンボル検出の正確度の向上が可能である。
【００２８】
以下、他の実施形態によって送信シンボルを各送信アンテナに配置する方法について説明する。
【００２９】
すなわち、本発明によって、ＢＰＳＫ（Ｂｉｎａｒｙ  ｐｈａｓｅ  ｓｈｉｆｔ  ｋｅｙｉｎｇ）又はＱＰＳＫのようにシンボル間の検出効率が同一である変調方式を用いる場合は、アンテナ間の相関度のみを考慮してシンボルを再配置して送信できるが、ＱＡＭのようにシンボルの検出効率が異なる高次（ｈｉｇｈ  ｏｒｄｅｒ）変調方式を用いる場合は、アンテナ間の相関度及びシンボルの検出効率を共に考慮してシンボルを再配置して送信できる。言い換えると、本実施形態で送信ＨＡＲＱ処理器２２は、送信アンテナ間の相関度と共にシンボルの検出効率によって前記ビットマッピングされたシンボルを配置する。
【００３０】
さらに、図８は、１６ＱＡＭ方式のシンボルコンステレーションを示し、ここで、最外側に位置するシンボル１、４、１３、１６は、内側に位置するシンボル６、７、１０、１１より検出が容易である。従って、前記シンボル１、４、１３、１６は、受信端によるシンボル検出のためのより大きい安全性を有する。その特性が本発明に係るＭＩＭＯ移動通信システムにおける信号処理に利用されている。
【００３１】
すなわち、図８のコンステレーションの原点から最も遠く離れたシンボル対を相互相関度の高いアンテナ対（隣又は近くに位置したアンテナ対）に割り当てる。また、前記コンステレーションの原点に近いシンボル対を相互相関度の低いアンテナ対（アンテナアレイの外側にあるアンテナのように遠く離れているアンテナ対）に割り当てる。ここで、前記シンボル対は、ビットマッピングされたシンボル対を意味する。
【００３２】
すなわち、図６に示すように、４つの送信アンテナ２６Ａ〜２６Ｄを含むアンテナアレイの場合、図８の１６ＱＡＭシンボルコンステレーションで、シンボル１、４、１３、１６は、アンテナ対２６Ａ、２６Ｄより高い相関度のアンテナ対２６Ｂ、２６Ｃに割り当てられ、内側に位置するシンボル６、７、１０、１１（離隔距離が最短のシンボル）は、アンテナ対２６Ｂ、２６Ｃより低い相関度のアンテナ対２６Ａ、２６Ｄに割り当てられる。また、残りのシンボル２、３、５、８、９、１２、１４、１５は、原点から同一距離に位置しているため、４つのアンテナ２６Ａ〜２６Ｄにそれぞれ均等に分配される。
【００３３】
また、各送信アンテナに割り当てられるシンボルの数が異なる場合、高い検出効率を有する、できるだけ多くのシンボルを相互相関度の高いアンテナ対に割り当て、低い検出効率を有する、できるだけ多くのシンボルを相互相関度の低いアンテナ対に割り当てる。
【００３４】
以下、他のシンボル配置を説明する。例えば、図９〜図１４は、送信シンボルが、１６ＱＡＭシンボルコンステレーションでビットマッピングされたシンボルを意味し、送信アンテナが２６Ａ〜２６Ｄであると仮定したシンボル割り当て方法の例を示す図である。
【００３５】
詳しくは、図９〜図１４で、黒いシンボルは、アンテナ２６Ａ及び２６Ｄに割り当てられ、白いシンボルは、アンテナ２６Ｂ及び２６Ｃに割り当てられる。すなわち、原点から最も遠く離れているため検出効率が高いシンボル１、４、１３、１６はアンテナ２６Ｂ及び２６Ｃに割り当てられるが、原点に近いため検出効率が低いシンボル６、７、１０、１１はアンテナ２６Ａ及び２６Ｄに割り当てられる。
【００３６】
残りのシンボル２、３、５、８、９、１２、１４、１５を前記アンテナ対２６Ｂ、２６Ｃとアンテナ対２６Ａ、２６Ｄに分布させる方法によって、図９〜図１４に示すように、多様な割り当てが行われる。
【００３７】
さらに、コンステレーションの原点から最も遠く離れたシンボル１、４、１３、１６が送信アンテナ２６Ｂ、２６Ｃに割り当てられると、シンボル対１、１６及びシンボル対４、１３が割り当てられることで前記シンボルは最も遠く離れて配置される。すなわち、前記シンボル対１、１６がアンテナ２６Ｂに割り当てられると、前記シンボル対４、１３は、アンテナ２６Ｃに割り当てられる。又は、その反対の場合も可能である。
【００３８】
同様の原理で、原点に最も近いシンボル６、７、１０、１１をアンテナ２６Ａ、２６Ｄに割り当てる場合、シンボル対６、１１とシンボル対７、１０は最も遠く離れて配置される。すなわち、前記シンボル対６、１１を前記アンテナ２６Ａに割り当てると、前記シンボル対７、１０はアンテナ２６Ｄに割り当てられ、この反対の場合も可能である。
【００３９】
また、送信側と受信側が全てのアンテナを利用する場合、データ転送速度と通信の質が向上できる。
【００４０】
本発明の前述した実施形態と利点は本発明を制限するものでなく、単なる例示にすぎない。本発明は、他の形態の装置にも容易に適用できる。本発明の説明は特許請求の範囲を制限するものでなく、単なる説明の便宜のためのものである。当該技術分野における通常の知識を有する者であれば多様な代案、変更、変形が可能であることを理解すると思われる。
【図面の簡単な説明】
【００４１】
【図１】グレイマッピングを利用した１６ＱＡＭコンステレーションを示す図である。
【図２】１６ＱＡＭ方式のコンステレーションにおいて、最初の送信時のビットマッピング順序の一例を示す図である。
【図３】１６ＱＡＭ方式のコンステレーションにおいて、再送信時（２番目の送信）のビットマッピング順序の一例を示す図である。
【図４】１６ＱＡＭ方式のコンステレーションにおいて、他の再送信時（３番目の送信）のビットマッピング順序の一例を示す図である。
【図５】１６ＱＡＭ方式のコンステレーションにおいて、他の再送信時（４番目の送信）のビットマッピング順序の一例を示す図である。
【図６】本発明に係る多重アンテナを利用した移動通信システムにおける信号送信装置の構成を示すブロック図である。
【図７】本発明に係る多重アンテナを利用した移動通信システムにおける信号送信方法を示すフローチャートである。
【図８】他の１６ＱＡＭ方式のコンステレーションを示す図である。
【図９】１６ＱＡＭ方式のコンステレーションで、ビットマッピングされたシンボルをアンテナ間の相関図とシンボルの検出効率によって各アンテナに配置する一例を示す図である。
【図１０】１６ＱＡＭ方式のコンステレーションにおいて、ビットマッピングされたシンボルをアンテナ間の相関図とシンボルの検出効率によって各アンテナに配置する一例を示す図である。
【図１１】１６ＱＡＭ方式のコンステレーションにおいて、ビットマッピングされたシンボルをアンテナ間の相関度とシンボルの検出効率によって各アンテナに配置する他の例を示す図である。
【図１２】１６ＱＡＭ方式のコンステレーションにおいて、ビットマッピングされたシンボルをアンテナ間の相関度とシンボルの検出効率によって各アンテナに配置する他の例を示す図である。
【図１３】１６ＱＡＭ方式のコンステレーションで、ビットマッピングされたシンボルをアンテナ間の相関度とシンボルの検出効率によって各アンテナに配置するさらに他の例を示す図である。
【図１４】１６ＱＡＭ方式のコンステレーションで、ビットマッピングされたシンボルをアンテナ間の相関度とシンボルの検出効率によって各アンテナに配置するさらに他の例を示す図である。
【図１】
2006524930.tif 000003
【図２】
2006524930.tif 000004
【図３】
2006524930.tif 000005
【図４】
2006524930.tif 000006
【図５】
2006524930.tif 000007
【図６】
2006524930.tif 000008
【図７】
2006524930.tif 000009
【図８】
2006524930.tif 000010
【図９】
2006524930.tif 000011
【図１０】
2006524930.tif 000012
【図１１】
2006524930.tif 000013
【図１２】
2006524930.tif 000014
【図１３】
2006524930.tif 000015
【図１４】
2006524930.tif 000016
【国際調査報告】
2006524930.tif 000017